(57)【特許請求の範囲】
【請求項１】
インクを吐出するインク吐出口が形成されるインク吐出口形成面を有する記録ヘッドに対して相対的に移動可能に配され、該インク吐出口形成面に付着したインクを毛管現象により相互間に付着させて除去する複数の金属製の板状部を有するインク除去部材と、
前記インク除去部材に関連して設けられ、一端が前記インク吐出口形成面に当接され該インク吐出口形成面と前記インク除去部材の板状部の一端部との間を所定距離に規制する間隔規制部材と、
前記インク除去部材により前記記録ヘッドのインク吐出口形成面に付着したインクを除去すべく、該インク除去部材および前記間隔規制部材を前記記録ヘッドに対して相対的に移動させる駆動手段と、を備え、
前記インク除去部材における複数の板状部は、前記インク吐出口形成面の吐出口配列に沿った長さに対応した長さを有し、該吐出口配列に直交する方向に互いに所定の間隔をもって相対向して設けられることを特徴とするインクジェットプリンタ。
【請求項２】
前記板状部は、少なくとも一端側に、くし歯状部を有することを特徴とする請求項１記載のインクジェットプリンタ。
【請求項３】
前記間隔規制部材の一端が前記インク吐出口形成面に当接されるとき、該間隔規制部材の一端を該インク吐出口形成面に対して付勢する付勢手段が、加えて備えられることを特徴とする請求項１記載のインクジェットプリンタ。
【請求項４】
前記インク除去部材および間隔規制部材が、前記記録ヘッドの正常なインク吐出を維持させる処理を行う回復処理系に設けられることを特徴とする請求項１記載のインクジェットプリンタ。
【請求項５】
インクを吐出するインク吐出口が形成されるインク吐出口形成面を有する記録ヘッドに対して相対的に移動可能に配され、該インク吐出口形成面に付着したインクを毛管現象により相互間に付着させて除去する複数の金属製の糸状要素からなる起毛状部をインク吐出口形成面の吐出口配列に沿った長さに対応した長さをもって有するインク除去部材と、
前記インク除去部材に関連して設けられ、一端が前記インク吐出口形成面に当接され該インク吐出口形成面と前記インク除去部材の起毛状部の一端部との間を所定距離に規制する間隔規制部材と、
前記インク除去部材により前記記録ヘッドのインク吐出口形成面に付着したインクを除去すべく、該インク除去部材および前記間隔規制部材を前記記録ヘッドに対して相対的に移動させる駆動手段と、
を具備して構成されるインクジェットプリンタ。
【請求項６】
前記間隔規制部材の一端が前記インク吐出口形成面に当接されるとき、該間隔規制部材の一端を該インク吐出口形成面に対して付勢する付勢手段が、加えて備えられることを特徴とする請求項５記載のインクジェットプリンタ。
【請求項７】
前記インク除去部材および間隔規制部材が、前記記録ヘッドの正常なインク吐出を維持させる処理を行う回復処理系に設けられることを特徴とする請求項５記載のインクジェットプリンタ。
【発明の詳細な説明】
【０００１】
【発明の属する技術分野】
本発明は、記録媒体に対してインクを吐出する記録ヘッドのインク吐出口形成面に付着したインクを除去することができるインクジェットプリンタに関する。
【０００２】
【従来の技術】
記録媒体の記録面に対してインクを吐出するインク吐出口が複数形成されるインク吐出口形成面を有する記録ヘッドを備えるインクジェットプリンタにおいては、記録動作終了後、記録ヘッドのインク吐出を常に正常に維持すべく回復処理が行われる。その回復処理は、例えば、記録ヘッドにインクの予備吐出を行わせるものとされる。その際、記録ヘッドにおけるインク吐出口形成面に付着したインクは、記録動作が再開されるとき、インクの不吐出の原因、および、記録媒体の記録面におけるインクの着弾位置の正規の位置からのずれの原因となる虞があるので付着したインクを除去してインク吐出口形成面を清浄な状態に維持することが必要となる。
【０００３】
そこで、インクジェットプリンタにおいては、インクの予備吐出終了後、所定期間放置され、記録ヘッドに付設されるインクタンク内の負圧に応じた水頭差に基づき各インク吐出口のインクがインク吐出口に通じる流路内に引き込まれた後、例えば、ゴム材料で作られたクリーニング部材が記録ヘッドのインク吐出口形成面に摺接されて拭われることにより、付着したインクが除去される。
【０００４】
【発明が解決しようとする課題】
しかしながら、上述のように、各インク吐出口のインクが流路内に引き込まれるまでの所定期間、放置される場合、回復処理が開始されて終了するまでに至る時間が比較的多く費やされることとなる。また、インクが流路内に引き込まれるとき、インク吐出口形成面に付着した塵などが一緒に流路内に引き込まれることにより、インクの不吐出の原因となる虞がある。
【０００５】
このような事態を回避するために、各インク吐出口のインクが流路内に引き込まれるまでの所定期間、放置することが省略されて即座に上述のようなクリーニング部材によりインク吐出口形成面が拭われる場合においては、インク吐出口形成面に摺接された撓んだクリーニング部材の一端がインク吐出口形成面から離隔するとき、クリーニング部材が元の状態に戻るのでクリーニング部材に付着したインクが、飛散し装置内を汚染する虞がある。
【０００６】
また、各インク吐出口のインクが流路内に引き込まれるまで所定期間、放置することが省略されて多孔質材料、例えば、ウレタンフォームなどにより付着したインクを除去する場合においては、ウレタンフォームにおけるインク吐出口形成面に対向する面とインク吐出口形成面との距離を所定の距離に維持することは、ウレタンフォームの加工精度に限界があるのでその距離をばらつかせることなくウレタンフォームの端面とインク吐出口形成面との相対位置を制御することは容易ではない。
【０００７】
以上の問題点を考慮し、本発明は、記録媒体に対してインクを吐出する記録ヘッドのインク吐出口形成面に付着したインクを除去することができるインクジェットプリンタであって、回復処理に要される時間を短縮することができるとともにインク吐出口形成面に付着した塵などが一緒に流路内に引き込まれることなく、しかも、インク除去部材の端面とインク吐出口形成面との適切な相対位置を容易に制御することができるインクジェットプリンタを提供することを目的とする。
【０００８】
【課題を解決するための手段】
上述の目的を達成するために、本発明に係るインクジェットプリンタは、インクを吐出するインク吐出口が形成されるインク吐出口形成面を有する記録ヘッドに対して相対的に移動可能に配され、インク吐出口形成面に付着したインクを毛管現象により相互間に付着させて除去する複数の金属製の板状部を有するインク除去部材と、インク除去部材に関連して設けられ、一端がインク吐出口形成面に当接されインク吐出口形成面とインク除去部材の板状部の一端部との間を所定距離に規制する間隔規制部材と、インク除去部材により記録ヘッドのインク吐出口形成面に付着したインクを除去すべく、インク除去部材および間隔規制部材を記録ヘッドに対して相対的に移動させる駆動手段と、を備え、インク除去部材における複数の板状部は、インク吐出口形成面の吐出口配列に沿った長さに対応した長さを有し、吐出口配列に直交する方向に互いに所定の間隔をもって相対向して設けられることを特徴とする。
【０００９】
【発明の実施の形態】
図４および図５は、本発明に係るインクジェットプリンタの一例の概略構成を示す。
【００１０】
インクジェットプリンタは、例えば、収容される紙票などの用紙３４を１枚ずつ順次、後述する用紙搬送部２４に送り出す給紙部２０と、給紙部２０からの用紙３４を後述する記録部２６の下方の位置を通過させるとともに印刷された用紙３４′を下流側の排紙部３０に搬送する用紙搬送部２４と、用紙搬送部２４からの印刷された用紙３４′を順次積載し収容する排紙部３０と、用紙搬送部２４の上方に対向配置され搬送中の用紙３４の記録面に対して順次、インクを吐出して記録動作を行う記録部２６と、用紙搬送部２４の下方に対向配置され記録部２６に各色のインクをそれぞれ供給するインク供給部２２と、記録部２６と用紙搬送部２４との間に配され記録部２６の記録ヘッドにおけるインク吐出口形成面を選択的に清浄するクリーニング機構部２８とを主要な構成要素として構成されている。
【００１１】
給紙部２０は、筺体３８内に設けられ複数枚の用紙３４が積載されるトレー部材３６と、トレー部材３６に積載された用紙３４の最上端の位置にある用紙３４を順次、一枚ずつ送出する分離給紙ローラ４２とを含んで構成されている。
【００１２】
所定の規格サイズを有する用紙３４は、筺体３８に設けられる用紙取入口を覆うカバー部材４０が開状態とされるとき、用紙取入口を通じてトレー部材３６に積載される。トレー部材３６は、図示が省略される昇降駆動機構に連結されており、積載される用紙３４が１枚ずつ送り出されるごとに昇降駆動機構により所定量上昇せしめられる。
【００１３】
カバー部材４０と筺体３８との間には、カバー部材４０の開閉状態を検出する開閉状態検出部４０ｓが設けられている。
【００１４】
分離給紙ローラ４２は、その両端部が回動可能に筺体３８に支持され、用紙３４の搬送方向に略直交する方向に伸びている。分離給紙ローラ４２の外周面には、筺体３８に支持されるコイルスプリング４６の付勢力によって押圧されるパッド４４が摺接されている。分離給紙ローラ４２は、図示が省略される駆動モータの出力軸に連結されている。駆動モータは、図示が省略される制御部により駆動制御される。制御部は開閉状態検出部４０ｓからの検出出力に基づいてカバー部材４０が閉状態とされるとき、所定のタイミングで駆動制御信号をそのモータに供給する。これにより、モータが駆動され１枚の用紙３４が分離給紙ローラ４２の外周面とパッド４４とにより狭持されて記録部２６側に送り出されることとなる。
【００１５】
用紙搬送部２４は、その上流側部分に配され分離給紙ローラ４２に対向し給紙部２０からの用紙３４を協働して狭持し導入する搬送ローラ４８および５０と、下流側部分に配され搬送ローラ４８および５０に対向し印刷された用紙３４′を協働して狭持し下流側に排出する搬送ローラ５６および５８と、搬送ローラ４８と搬送ローラ５６との間に巻装され用紙３４を上流側から下流側に向けて搬送する搬送ベルト５２と、搬送ローラ５６と搬送ローラ４８との間の中央位置に配され搬送ベルト５２に所定の初張力を与えるテンショナーローラ５４とを含んで構成されている。
【００１６】
搬送ローラ４８および５０は、それぞれ、その両端部が回動可能に筺体に支持され分離給紙ローラ４２に対して略平行に配されている。搬送ローラ４８の一端には、駆動用モータの出力軸が連結されている。その駆動用モータは、制御部からの駆動制御信号に基づいて制御される。これにより、駆動制御信号が供給されるとき、搬送ローラ４８は、搬送ベルト５２および搬送ローラ５０を伴って回転されることとなる。従って、搬送ベルト５２上に載置された用紙３４が下流側に向けて所定の速度で搬送されることとなる。
【００１７】
排紙部３０は、搬送ローラ５６および５８に対向して配され用紙搬送部２４からの用紙３４′を協働して狭持し排出する排紙ローラ６０Ａおよび６０Ｂと、排紙ローラ６０Ａおよび６０Ｂにより排出された用紙３４′を順次積載収容するトレー部材６２とを含んで構成されている。
【００１８】
排紙ローラ６０Ｂの一端には、駆動用モータの出力軸が連結されている。その駆動用モータは、上述の制御部からの駆動制御信号に基づいて制御される。駆動制御信号が供給されるとき、駆動用モータが作動状態とされることにより、排紙ローラ６０Ａおよび６０Ｂが回転され用紙３４′がトレー部材６２上に排出されることとなる。
【００１９】
記録部２６は、上流側から下流側に向けて順次、所定の相互間隔をもって配列される記録ヘッド２６Ｂｋ、２６Ｃ、２６Ｍ、および、２６Ｙを含んで構成されている。記録ヘッド２６Ｂｋは、用紙３４の記録面に対してブラックのインクを吐出するものとされ、記録ヘッド２６Ｃは、用紙３４の記録面に対してシアンのインクを吐出するものとされる。また、記録ヘッド２６Ｍは、用紙３４の記録面に対してマゼンタのインクを吐出するものとされ、記録ヘッド２６Ｙは、用紙３４の記録面に対してイエローのインクを吐出するものとされる。
【００２０】
記録ヘッド２６Ｂｋ〜２６Ｙは、それぞれ、例えば、バブルジェット式とされる既知の構造を有している。記録ヘッド２６Ｂｋ〜２６Ｙにおける用紙３４の記録面に対向する面には、複数のインク吐出口が用紙３４の搬送方向に略直交する方向に配列されるインク吐出口形成面がそれぞれ形成されている。インク吐出口形成面における長手方向の長さは、搬送される用紙３４の規格サイズの最大長さに対応した長さに設定されている。また、記録部２６は、用紙３４の搬送方向、および、搬送方向に対して略直交する方向に対して所定の位置に固定されるとともに、図４に示される矢印の示す方向に沿って記録ヘッド昇降機構制御部３２により昇降動可能に支持されている。記録ヘッド昇降機構制御部３２は、各記録ヘッド２６Ｂｋ〜２６Ｙのインク吐出口形成面を搬送される用紙３４の記録面に対して近接させて記録動作位置、もしくは、離隔させて待機位置をとらせるべく、記録部２６の昇降動作の駆動制御を行う。
【００２１】
記録ヘッド２６Ｂｋ〜２６Ｙのそれぞれの記録動作は、図示が省略される制御部からの駆動制御パルス信号に基づいて制御される。制御部からの駆動制御パルス信号は、用紙３４に記録されるべき画像データに基づいて用紙３４に記録される所定のライン分ごとに形成され、所定のタイミングで順次、記録ヘッド２６Ｂｋ〜２６Ｙに供給される。これにより、記録部２６が記録ヘッド昇降機構制御部３２により下降されて記録動作位置をとるとき、記録ヘッド２６Ｂｋが搬送中の用紙３４の記録面に対して記録動作を行い、次に、記録ヘッド２６Ｃが記録ヘッド２６Ｂｋにより記録されたその記録面に対して記録動作を行う。記録ヘッド２６Ｃは、記録ヘッド２６Ｂｋにより形成された同一の画素にさらに重ねてインクを吐出し、あるいは、あらたな画素を形成するものとされる。続く記録ヘッド２６Ｍおよび２６Ｙにおいても同様に搬送中の用紙３４の記録面に対して記録動作を行う。記録ヘッド２６Ｂｋ〜２６Ｙには、それぞれ、インク供給部２２が接続されており、各色のインクがインク供給部２２からそれぞれ供給される。
【００２２】
インク供給部２２は、ブラックのインクが貯留されるインクタンク２２ＴＢｋ、シアンのインクが貯留されるインクタンク２２ＴＣ、マゼンタのインクが貯留されるインクタンク２２ＴＭ、イエローのインクが貯留されるインクタンク２２ＴＹを含んで構成されている。各インクタンク２２ＴＢｋ〜２２ＴＹは、それぞれ、記録ヘッド２６Ｂｋ〜２６Ｙに対応して図示が省略される供給パイプにより接続されている。
【００２３】
記録部２６の記録ヘッド２６Ｂｋ〜２６Ｙにおけるインク吐出口形成面を清浄するクリーニング機構部２８は、図４および図５に示されるように、各記録ヘッド２６Ｂｋ〜２６Ｙに対応してそれぞれ設けられるインク除去部材収容体７０と、４個のインク除去部材収容体７０の一端部を相互に連結する連結板７６と、連結板７６を支持するとともに連結板７６を伴って用紙３４の搬送方向に沿って往復動されるラック部材６８と、ラック部材６８の歯部６８Ａに噛み合わされるピニオンギヤ６６を有する駆動モータ６４とを含んで構成されている。
【００２４】
ラック部材６８は、図４において右端部に歯部６８Ａを有しており、筺体に固定される一対のスライドガイド部材により摺動可能に支持されている。歯部６８Ａには、ピニオンギヤ６６が噛み合わされている。
【００２５】
ピニオンギヤ６６を回動させる駆動モータ６４は、制御部からの駆動制御信号に基づいて順方向もしくは逆方向に回転可能に制御される。記録部２６が図４に示されるように、待機位置をとり、駆動モータ６４が非作動状態とされる初期位置のとき、図４においてラック部材６８の右端部が右方に突出するものとされて各インク除去部材収容体７０が各記録ヘッド２６Ｂｋ〜２６Ｙに対向する位置とされる。その際、各記録ヘッド２６Ｂｋ〜２６Ｙがヘッド昇降機構部３２により下降せしめられ、後述する回復処理およびインク除去作業が行われる。
【００２６】
また、駆動モータ６４が作動状態とされて順方向に回転されるとき、各インク除去部材収容体７０が図４において矢印が示す方向、即ち、下流側に所定量移動されるとき、図５に示されるように、各記録ヘッド２６Ｂｋ〜２６Ｙの相互間に配される。さらに、記録動作終了後、記録部２６が待機位置をとり、駆動モータ６４が作動状態とされて逆方向に回転されるとき、各インク除去部材収容体７０は上流側に向けて所定量移動され初期の位置に戻される。
【００２７】
各インク除去部材収容体７０は、それぞれ、同一構造を有するのでそのうちの一つについて説明し、他のインク除去部材収容体７０についての説明を省略する。
【００２８】
インク除去部材収容体７０は、図１に示されるように、各記録ヘッド２６Ｂｋ〜２６Ｙの正常なインク吐出を常に維持するために各記録ヘッド２６Ｂｋ〜２６Ｙに対して所定のタイミングで予備吐出を行わせる回復処理系に配される。図１は、記録ヘッド２６Ｂｋが下降せしめられるとき、そのインク吐出口形成面２６ｏｓがインク除去部材収容体７０のシール部材８８に当接した状態を示す。このような状態において、所定の回復処理の実行が可能となる。
【００２９】
かかる回復処理系におけるインク再生処理回路部は、回復処理に利用されたインクが再生処理されて貯留される排液処理タンク１２０と、排液処理タンク１２０にインク供給路１０４を通じて接続されるサブインクタンク１０２と、インク除去部材収容体７０とサブインクタンク１０２との間を接続するインク供給路９２に配されインク除去部材収容体７０からのインクをサブインクタンク１０２に供給する再生用ポンプ９６と、記録ヘッド２６Ｂｋの共通液室にインク供給路９４を介して接続されインク供給路内の空気を除去するエアバッファ部１０８と、記録ヘッド２６Ｂｋの共通液室にインク供給路９０を介して接続されインク供給路内の空気を除去するエアバッファ部１０６と、エアバッファ部１０６とサブインクタンク１０２との間を接続するインク供給路１１４に配されエアバッファ部１０６からのインクをサブインクタンク１０２に供給する吸引ポンプ１１０と、サブインクタンク１０２とエアバッファ部１０８との間を接続するインク供給路１１６に配されサブインクタンク１０２からのインクをエアバッファ部１０８に供給する加圧ポンプ１１２とを主要な要素として構成されている。
【００３０】
サブインクタンク１０２には、その内部のインクの液面の位置が所定の位置よりも上昇しないように制御する液面位置制御部１２４が備えられている。サブインクタンク１０２とインク供給路９２における再生用ポンプ９６との間には逆止弁９８およびインク内の不所望な異物などを除去するフィルタ１００が設けられている。
【００３１】
一端がエアバッファ部１０８に接続されるインク供給路９４におけるエアバッファ部１０８と記録ヘッド２６Ｂｋとの間には、逆止弁１２２が設けられている。
【００３２】
再生用ポンプ９６、吸引ポンプ１１０、加圧ポンプ１１２は、それぞれ、例えば、駆動用モータの出力軸に連結されるインナーロータの周りに配される複数のローラと、複数のローラと図示が省略されるポンプヘッドケースとの間に配されインクを送出するチューブとを含んでなる既知の構造を備えている。また、加圧ポンプ１１２の吐出圧は、吸引ポンプ１１０の吐出圧に比して大に設定されている。かかる構成のもとで、このような回復処理系においては、記録ヘッド２６Ｂｋ〜２６Ｃの下降動作に応じた所定のタイミングで回復処理が開始される。
【００３３】
回復処理が開始される場合、駆動用モータが作動状態とされる場合、図１に示される矢印の示す方向にインナーロータが回転され、複数のローラがそれぞれ自転およびインナーロータの周りを公転せしめられることにより、柔軟性のあるチューブが複数のローラによりしごかれ、例えば、再生用ポンプ９６は、インク供給路９２を通じてインク除去部材収容体７０からのインクをサブインクタンク１０２に供給する。また、回復処理において、加圧ポンプ１１２が作動状態とされるとき、エアバッファ部１０８内のインクがインク供給路９４を通じて記録ヘッド２６Ｂｋの共通液室に供給される。その際、加圧ポンプ１１２の吐出圧が吸引ポンプ１１０の吐出圧に比して大なので記録ヘッド２６Ｂｋに供給されたインクの大部分は、インク吐出口２６ｏｐを通じて吐出され排出される。これにより、インク吐出口２６ｏｐ内の異物が除去されることとなる。
【００３４】
インク除去部材収容体７０は、図２および図３に示されるように、主要な要素としてその内部に、記録ヘッド２６Ｂｋのインク吐出口形成面２６ｏｓに付着されたインクＩＤを除去するインク除去部材８０Ａおよび８０Ｂと、インク除去部材８０Ａおよび８０Ｂにおける長手方向の両端部にそれぞれ固定される突当て部材８２とを収容している。インク除去部材８０Ａとインク除去部材８０Ｂとは、互いに平行に所定距離、例えば、約０．２〜０．５（ｍｍ）程度離隔して配されている。インク除去部材８０Ａおよび８０Ｂは、それぞれ、互いに同一の構造とされるのでインク除去部材８０Ａについて説明し、インク除去部材８０Ｂについての説明は省略する。
【００３５】
インク除去部材８０Ａは、金属材料、例えば、厚さ０．２（ｍｍ）程度の比較的薄いステンレス鋼板でインク吐出口形成面２６ｏｓの吐出口配列に沿った長さに対応した長さに作られ、記録ヘッド２６Ｂｋのインク吐出口形成面２６ｏｓに対向する側の端部全体に、櫛歯状部８０ａを有している。
【００３６】
これにより、インク吐出口形成面２６ｏｓ全体に付着したインクが広い範囲で効率よく除去されることとなる。インク除去部材８０Ａの両端部は、それぞれ、インク除去部材８０Ｂとともに突当て部材８２により連結されている。突当て部材８２の長さは、インク除去部材８０Ａの短辺の長さよりも長く設定されている。これにより、突当て部材８２の一端が、インク除去部材８０Ａにおける記録ヘッド２６Ｂｋ側の端部よりも上方に所定長さ突出している。なお、インク除去部材８０Ａおよび８０Ｂは、かかる例に限られることなく、３枚以上互いに平行に所定間隔をもって配列されるものであってもよい。
【００３７】
突当て部材８２には、インク除去部材収容体７０の内周面に摺接され突当て部材８２、インク除去部材８０Ａおよび８０Ｂの姿勢をインク吐出口形成面２６ｏｓに対して略垂直となるように規制するガイド部材８４が設けられている。
【００３８】
インク除去部材８０Ａおよび８０Ｂとインク除去部材収容体７０の内側の底面部との間には、突当て部材８２とインク除去部材８０Ａおよび８０Ｂとをインク吐出口形成面２６ｏｓに向けて付勢するコイルスプリング８６が設けられている。これにより、突当て部材８２は、図２に二点鎖線で示されるように、上部の開口部７０ｈを通じて上方に向けて突出している。また、図２に示されるように、突当て部材８２の一端が記録ヘッド２６Ｂｋのインク吐出口形成面２６ｏｓに当接され押し下げられるとき、インク除去部材８０Ａおよび８０Ｂの櫛歯状部８０ａとインク吐出口形成面２６ｏｓとの隙間が、例えば、約０．５（ｍｍ）程度に精度よく維持されることとなる。また、インク除去部材収容体７０の上部の開口部７０ｈの周縁部には、突当て部材８２の一端が記録ヘッド２６Ｂｋのインク吐出口形成面２６ｏｓに当接されるとき、インク吐出口形成面２６ｏｓに当接することによりインク除去部材収容体７０の内部を密封するシール部材８８が設けられている。このシール部材８８がインク吐出口形成面２６ｏｓに当接されることにより、インク除去部材収容体７０の内部の保湿効果が得られる。
【００３９】
また、インク除去部材収容体７０は、その内側の底面部に連なりインク除去部材８０Ａおよび８０Ｂを通じて落下したインクを図２に示される矢印の示す方向に沿って伝わらせてインク供給路９２に通じる排出口７０ｅに効率よく導く斜面部７０ｓを内側に有している。
【００４０】
かかる構成のもとで、記録ヘッド２６Ｂｋが図２に示される二点鎖線で示される位置から実線で示される所定の位置まで下降せしめられることにより、上述の回復処理が開始され、突当て部材８２の一端が記録ヘッド２６Ｂｋのインク吐出口形成面２６ｏｓに当接されるとき、従来装置のように所定の時間放置するようなことなく、インク吐出口形成面２６ｏｓに付着したインクＩＤがインク除去部材８０Ａおよび８０Ｂの櫛歯状部８０ａに付着されインク除去部材８０Ａとインク除去部材８０Ｂとの間の毛管作用に基づいてインク除去部材８０Ａとインク除去部材８０Ｂとの間に図３に二点鎖線で示されるように、下降せしめられる。その下降せしめられたインクは、斜面部７０ｓを伝わって排出口７０ｅを介してインク供給路９２に導かれることとなる。その際、再生ポンプ９６が作動状態とされるので排出されたインクは、逆止弁９８およびフィルタ１００を介してサブインクタンク１０２に供給されることとなる。
【００４１】
図６および図７は、インク除去部材の他の例を示す。図６および図７においては、図２および図３に示される例では板状部材であるインク除去部材８０Ａとインク除去部材８０Ｂとが相対向して配されるものであるが、その代わりに、記録ヘッド２６Ｂｋのインク吐出口形成面２６ｏｓに対向して糸状部材１２８が起毛状に基台１２６に設けられるものとされる。なお、図６および図７においては、図２および図３に示される例において同一とされる構成部品については同一の符号を付して示し、その重複説明を省略する。
【００４２】
糸状部材１２８は、金属材料、例えば、線径０．２（ｍｍ）程度のステンレス鋼で作られ突当て部材８２の相互間に複数、所定の相互間隔で配列されている。また、糸状部材１２８は、インク吐出口形成面２６ｏｓの全面に対向するように配されているので広範囲にインクを除去することが可能となる。
【００４３】
かかる例においても、記録ヘッド２６Ｂｋが図６に示される二点鎖線で示される位置から実線で示される所定の位置まで下降せしめられることにより、上述の回復処理が開始され、突当て部材８２の一端が記録ヘッド２６Ｂｋのインク吐出口形成面２６ｏｓに当接されるとき、従来装置のように所定の時間放置するようなことなく、インク吐出口形成面２６ｏｓに付着したインクＩＤがインク除去部材としての糸状部材１２８に付着されその相互間の毛管作用に基づいて基台１２６に図７に二点鎖線で示されるように、下降せしめられる。その下降せしめられたインクは、斜面部７０ｓを伝わって排出口７０ｅを介してインク供給路９２に導かれることとなる。その際、再生ポンプ９６が作動状態とされるので排出されたインクは、逆止弁９８およびフィルタ１００を介してサブインクタンク１０２に供給されることとなる。
【００４４】
【発明の効果】
以上の説明から明らかなように、本発明に係るインクジェットプリンタによれば、インク除去部材における複数の金属製の板状部は、インク吐出口形成面の吐出口配列に沿った長さに対応した長さを有し、吐出口配列に直交する方向に互いに所定の間隔をもって相対向して設けられるので付着したインクがインク吐出口に通じる流路内に引き込まれるまでの時間、放置する必要がなく、回復処理に要される時間を短縮することができるとともにインク吐出口形成面に付着した塵などが一緒に流路内に引き込まれることなく、しかも、インク除去部材の端面とインク吐出口形成面との適切な相対位置を容易に制御することができる。
【図面の簡単な説明】
【図１】本発明に係るインクジェットプリンタの一例に備えられる回復処理系の概略構成を示す構成図である。
【図２】本発明に係るインクジェットプリンタの要部を示す断面図である。
【図３】図２に示される例における側面から見た断面図である。
【図４】本発明に係るインクジェットプリンタの一例の全体構成を示す構成図である。
【図５】図４に示される例の動作説明に供される構成図である。
【図６】本発明に係るインクジェットプリンタの他の例の要部を示す断面図である。
【図７】図６に示される例における側面から見た断面図である。
【符号の説明】
２６  記録部
２６ｏｓ  インク吐出口形成面
８０Ａ，８０Ｂ  インク除去部材
８２  突当て部材
８６  コイルスプリング部材
１２８  糸状部材
【図１】
0004122087.tif 000002
【図２】
0004122087.tif 000003
【図３】
0004122087.tif 000004
【図４】
0004122087.tif 000005
【図５】
0004122087.tif 000006
【図６】
0004122087.tif 000007
【図７】
0004122087.tif 000008